(57)【特許請求の範囲】
【請求項１】
前面に開口部を有する外箱と、
この外箱の内部に設けられた洗浄室と、
この洗浄室の内部に食器を配列する食器かごと、
前記食器を洗浄する洗浄機構と、
前記外箱の前面の開口部に、下端部を中心として開閉回動するように設けられた扉とを具備するものにおいて、
その扉を、
ほゞ水平状態まで開放回動可能な下部扉と、
この下部扉の先端部に回動可能に連結された上部扉とにより構成すると共に、
前記下部扉を開放回動させたときに、前記上部扉を下部扉に対しほゞ直角に回動させて保持する扉折り手段を設け、
前記扉を閉鎖したときに、扉をロックするロック手段を有すると共に、そのロックを検出するロック検出手段を有することを特徴とする食器洗浄機。
【請求項２】
前面に開口部を有する外箱と、
この外箱の内部に設けられた洗浄室と、
この洗浄室の内部に食器を配列する食器かごと、
前記食器を洗浄する洗浄機構と、
前記外箱の前面の開口部に、下端部を中心として開閉回動するように設けられた扉とを具備するものにおいて、
その扉を、
ほゞ水平状態まで開放回動可能な下部扉と、
この下部扉の先端部に回動可能に連結された上部扉とにより構成すると共に、
前記下部扉を開放回動させたときに、前記上部扉を下部扉に対しほゞ直角に回動させて保持する扉折り手段を設け、
前記扉を閉鎖したときに、扉をロックするロック手段を有すると共に、そのロックを押ボタンの操作により解除するロック解除手段を有することを特徴とする食器洗浄機。
【請求項３】
前面に開口部を有する外箱と、
この外箱の内部に設けられた洗浄室と、
この洗浄室の内部に食器を配列する食器かごと、
前記食器を洗浄する洗浄機構と、
前記外箱の前面の開口部に、下端部を中心として開閉回動するように設けられた扉とを具備するものにおいて、
その扉を、
ほゞ水平状態まで開放回動可能な下部扉と、
この下部扉の先端部に回動可能に連結された上部扉とにより構成すると共に、
前記下部扉を開放回動させたときに、前記上部扉を下部扉に対しほゞ直角に回動させて保持する扉折り手段を設け、
前記扉を閉鎖したときに、扉をロックするロック手段を有すると共に、そのロックを、扉に設けたハンドルの操作により解除するロック解除手段を有することを特徴とする食器洗浄機。
【請求項４】
前面に開口部を有する外箱と、
この外箱の内部に設けられた洗浄室と、
この洗浄室の内部に食器を配列する食器かごと、
前記食器を洗浄する洗浄機構と、
前記外箱の前面の開口部に、下端部を中心として開閉回動するように設けられた扉とを具備するものにおいて、
その扉を、
ほゞ水平状態まで開放回動可能な下部扉と、
この下部扉の先端部に回動可能に連結された上部扉とにより構成すると共に、
前記下部扉を開放回動させたときに、前記上部扉を下部扉に対しほゞ直角に回動させて保持する扉折り手段を設け、
前記扉を閉鎖したときに、上部扉の先端部が外箱の前面の開口部の上縁部に係止されるようにしたことを特徴とする食器洗浄機。
【請求項５】
前面に開口部を有する外箱と、
この外箱の内部に設けられた洗浄室と、
この洗浄室の内部に食器を配列する食器かごと、
前記食器を洗浄する洗浄機構と、
前記外箱の前面の開口部に、下端部を中心として開閉回動するように設けられた扉とを具備するものにおいて、
その扉を、
ほゞ水平状態まで開放回動可能な下部扉と、
この下部扉の先端部に回動可能に連結された上部扉とにより構成すると共に、
前記下部扉を開放回動させたときに、前記上部扉を下部扉に対しほゞ直角に回動させて保持する扉折り手段を設け、
前記外箱の前面の開口部の上側の縁部を後方に傾斜させ、この傾斜の起点部に、扉を閉鎖したときの下部扉と上部扉との連結部分の位置がほゞ合致するようにしたことを特徴とする食器洗浄機。
【請求項６】
前面に開口部を有する外箱と、
この外箱の内部に設けられた洗浄室と、
この洗浄室の内部に食器を配列する食器かごと、
前記食器を洗浄する洗浄機構と、
前記外箱の前面の開口部に、下端部を中心として開閉回動するように設けられた扉とを具備するものにおいて、
その扉を、
ほゞ水平状態まで開放回動可能な下部扉と、
この下部扉の先端部に回動可能に連結された上部扉とにより構成すると共に、
前記下部扉を開放回動させたときに、前記上部扉を下部扉に対しほゞ直角に回動させて保持する扉折り手段を設け、
前記下部扉と上部扉とを、これらの合わせ部分を水密に覆う弾性体で連結したことを特徴とする食器洗浄機。
【発明の詳細な説明】
【０００１】
【発明の属する技術分野】
本発明は、外箱の前面の開口部に、下端部を中心として開閉回動する扉を有する食器洗浄機に関する。
【０００２】
【従来の技術】
一般に、食器洗浄機においては、前面に開口部を有する外箱の内部に、洗浄室と、この洗浄室の内部に食器を配列する食器かごと、食器を洗浄する洗浄機構とが設けられており、そして、外箱の前面の開口部に、下端部を中心として開閉回動する扉が設けられ、この扉は、開放時、ほゞ水平状態まで回動されるようになっている。
【０００３】
図２７及び図２８は、このような食器洗浄機を一般的なキッチン用キャビネットのシンクの脇部に設置した状況を、斜視図（図２７）と平面図（図２８）とで表している。これらの図に示したキッチン用キャビネット１は、中央部よりやゝ右側にシンク２を有し、このシンク２の左右両側の脇部に食器洗浄機３が設置可能な部分（食器洗浄機設置可能部）４，５を有している。又、シンク２の後側上方部には、シンク２内に給水するための水栓６が設けられており、そのほか、このキッチン用キャビネット１には左側端部にコンロ７が３口設けられている。
【０００４】
このようなキッチン用キャビネット１の各部は、寸法が規格化されており、その中で、シンク２の左脇部の食器洗浄機設置可能部４は、一般には調理台部であって、比較的幅広く、食器洗浄機３はこの部分４に前向きに設置される。これに対して、今一つ（シンク２の右脇部）の食器洗浄機設置可能部５は、キッチン用キャビネット１の右側端部に位置するため、充分に幅広いものではなく、食器洗浄機３はこの部分５に横向き（左向き）に設置される。
【０００５】
なお、図２７及び図２８は、説明の都合上、食器洗浄機３が、食器洗浄機設置可能部４，５の双方に設置された状況を表しているが、実際には、そのいずれかが選択されて設置される。
【０００６】
【発明が解決しようとする課題】
図２８では、上述のように設置された食器洗浄機３の、開放された扉８を二点鎖線で表している。この場合、シンク２の右脇部の食器洗浄機設置可能部５に食器洗浄機３が設置されたケースにおいては、その食器洗浄機３の、下端部を中心として開放回動された扉８の先端部の後側の角部８ａが、水栓６、特にこれのコック部６ａに当たり、扉８を充分に開放させることができない。よって、食器かごや食器の出し入れに支障を来たす。
【０００７】
一方、シンク２の左脇部の食器洗浄機設置可能部４に食器洗浄機３が設置されたケースにおいては、その食器洗浄機３の、下端部を中心として開放回動された扉８の先端部がキッチン用キャビネット１の前縁より前方に突出し、この突出した扉８先端部の左右両側の角部８ａ，８ｂに使用者が手や腰等をぶつけることがあって、使用しにくい。
【０００８】
これに対して近年、扉を２つに折り畳んで上方に持ち上げる構成としたものが供されている。このものによれば、扉を開放させたとき、扉の先端部がキッチン用キャビネット１の水栓６のコック部６ａに当たらず、キッチン用キャビネット１の前縁より前方に突出することもなくて、上述のような問題点を呈しない。
【０００９】
しかしながら、このものでは、扉を持ち上げ開放させた状態で、汚れた食器を洗浄室内に入れるとき、食器から落ちた残滓や汁等がそのまま落ちて下方の、食器洗浄機を設置した面を汚すという問題点があり、その上、開放させた扉が、キッチン用キャビネット１上方の比較的低い位置に設けられた棚等に当たって、扉を充分に開放させることができないという問題点を有していた。
【００１０】
本発明は上述の事情に鑑みてなされたものであり、従ってその目的は、主として、キッチン用キャビネットのシンクの脇部に設置した状況で、開放させた扉が水栓のコック部に当たったり、使用者が手や腰等をぶつけたりすることをなくし得、しかも、食器入れ時に食器から落ちる残滓や汁等で食器洗浄機設置部分を汚すこともなくし得て、更に、開放させた扉が上方の棚等に当たるようなこともなくし得る食器洗浄機を提供するにある。
【００１１】
【課題を解決するための手段】
上記目的を達成するために、本発明の食器洗浄機においては、前面に開口部を有する外箱と、この外箱の内部に設けられた洗浄室と、この洗浄室の内部に食器を配列する食器かごと、前記食器を洗浄する洗浄機構と、前記外箱の前面の開口部に、下端部を中心として開閉回動するように設けられた扉とを具備するものにおいて、
第１に、その扉を、ほゞ水平状態まで開放回動可能な下部扉と、この下部扉の先端部に回動可能に連結された上部扉とにより構成すると共に、前記下部扉を開放回動させたときに、前記上部扉を下部扉に対しほゞ直角に回動させて保持する扉折り手段を設け、前記扉を閉鎖したときに、扉をロックするロック手段を有すると共に、そのロックを検出するロック検出手段を有することを特徴とする（請求項１の発明）。
【００１２】
このものによれば、扉は、開放時、下部扉がほゞ水平状態まで回動され、そして、この下部扉に対し、上部扉が扉折り手段によってほゞ直角に回動されて保持されることにより、Ｌ字状に折り曲げられた状態となり、それによって、扉の先端部がキッチン用キャビネットの水栓のコック部に当たることが避けられ、キッチン用キャビネットの前縁より前方に突出することも避けられる。
【００１３】
又、この場合、扉は、下端部を中心として開放回動されるもので、上方に持ち上げられるものではないから、上方の棚等に当たるようなことも避けられ、そして、食器入れ時に食器から落ちた残滓や汁等は、下端部を中心としてほゞ水平状態まで回動された下部扉により受けられ、食器洗浄機設置部分に落ちることが阻止される。
そして、扉を閉鎖したときには、ロック手段により、子供の悪戯など、不用意な扉の開放が阻止されるばかりでなく、特には扉の下部扉と上部扉との連結部分における僅かな浮き離れすら阻止されて、水密性がより確実に保持される。
更に、扉をロックしたとき、それがロック検出手段により検出され、扉のロックを解除したとき、ロック検出手段による扉ロックの検出がなされなくなるので、それによって、運転中に扉のロックを解除したとき、その時点で運転を自動的に停止させることが可能となり、外箱の前面の開口部からの洗浄水の飛び出し等のおそれがより確実になくされる。
【００１８】
本発明の食器洗浄機においては、第２に、扉を、ほゞ水平状態まで開放回動可能な下部扉と、この下部扉の先端部に回動可能に連結された上部扉とにより構成すると共に、前記下部扉を開放回動させたときに、前記上部扉を下部扉に対しほゞ直角に回動させて保持する扉折り手段を設け、前記扉を閉鎖したときに、扉をロックするロック手段を有すると共に、そのロックを押ボタンの操作により解除するロック解除手段を有することを特徴とする（請求項２の発明）。
このものでは、前記ロック検出手段による作用効果以外、第１の構成の食器洗浄機と同じ作用効果が得られ、そして、扉のロック解除が、押ボタンを操作するだけの簡単な操作でなされる。
【００１９】
本発明の食器洗浄機においては、第３に、扉を、ほゞ水平状態まで開放回動可能な下部扉と、この下部扉の先端部に回動可能に連結された上部扉とにより構成すると共に、前記下部扉を開放回動させたときに、前記上部扉を下部扉に対しほゞ直角に回動させて保持する扉折り手段を設け、前記扉を閉鎖したときに、扉をロックするロック手段を有すると共に、そのロックを、扉に設けたハンドルの操作により解除するロック解除手段を有することを特徴とする（請求項３の発明）。
このものでは、前記ロック検出手段による作用効果以外、第１の構成の食器洗浄機と同じ作用効果が得られ、そして、扉のロック解除が、扉を開放させるときに持つハンドルを操作するだけの簡単で且つ自然な操作でなされる。
【００２０】
本発明の食器洗浄機においては、第４に、扉を、ほゞ水平状態まで開放回動可能な下部扉と、この下部扉の先端部に回動可能に連結された上部扉とにより構成すると共に、前記下部扉を開放回動させたときに、前記上部扉を下部扉に対しほゞ直角に回動させて保持する扉折り手段を設け、前記扉を閉鎖したときに、上部扉の先端部が外箱の前面の開口部の上縁部に係止されるようにしたことを特徴とする（請求項４の発明）。
このものでは、前記ロック検出手段による作用効果以外、第１の構成の食器洗浄機と同じ作用効果が得られ、そして、扉のロックが、上部扉の先端部、すなわち、扉の先端部で確実になされ、しかも、その上部扉の先端部に手を掛けて扉をこじ開けようとする無理な操作に対しても、抗することが可能である。
【００２２】
本発明の食器洗浄機においては、第５に、扉を、ほゞ水平状態まで開放回動可能な下部扉と、この下部扉の先端部に回動可能に連結された上部扉とにより構成すると共に、前記下部扉を開放回動させたときに、前記上部扉を下部扉に対しほゞ直角に回動させて保持する扉折り手段を設け、前記外箱の前面の開口部の上側の縁部を後方に傾斜させ、この傾斜の起点部に、扉を閉鎖したときの下部扉と上部扉との連結部分の位置がほゞ合致するようにしたことを特徴とする（請求項５の発明）。
このものでは、前記ロック検出手段による作用効果以外、第１の構成の食器洗浄機と同じ作用効果が得られ、そして、扉を閉鎖したとき、上部扉が下部扉より後方に傾斜した外形となり、それによって、設置状態での圧迫感がなくされる。
【００２３】
本発明の食器洗浄機においては、第６に、扉を、ほゞ水平状態まで開放回動可能な下部扉と、この下部扉の先端部に回動可能に連結された上部扉とにより構成すると共に、前記下部扉を開放回動させたときに、前記上部扉を下部扉に対しほゞ直角に回動させて保持する扉折り手段を設け、前記下部扉と上部扉とを、これらの合わせ部分を水密に覆う弾性体で連結したことを特徴とする（請求項６の発明）。
このものでは、前記ロック検出手段による作用効果以外、第１の構成の食器洗浄機と同じ作用効果が得られ、そして、下部扉と上部扉との連結が、それらの合わせ部分を水密化するのと併せてなされる。
【００２４】
【発明の実施の形態】
以下、本発明の第１実施例につき、図１ないし図１２を参照して説明する。  まず図２には、食器洗浄機の外観を示しており、外箱１１を有している。この外箱１１は、図３にも示すように、金属の板材をコ字形に折曲して背部と左右の両側部とを有するようにした側板１２を主体とし、これに、天板１３と底板１４とを結合して成るもので、前面に矩形の開口部１５を有し、底板１４の外下面の四隅部にそれぞれ脚１６を取付けている。
【００２５】
外箱１１の内部には、内箱１７を開口部１５に連ねて配設することにより、洗浄室１８を形成しており、この洗浄室１８の内部には、図示しない食器を配列する食器かご１９を、ローラ２０がレール２１上を転動する引出し方式で、前後出し入れ可能に収容している。又、洗浄室１８内の食器かご１９より下方の部分には、噴水アーム２２を回転可能に配設しており、更に、洗浄室１８の底部の前部から下方へは貯水部２３を形成していて、この貯水部２３と、内箱１７の外下方部に配設したポンプ２４とを接続パイプ２５で接続している。
【００２６】
ポンプ２４は、吐水口を上記噴水アーム２２に接続しており、この構造で、ポンプ２４が、洗浄室１８内の水（洗浄水）を貯水部２３から接続パイプ２５を通じて吸入し、吐水口から噴水アーム２２に圧送する。しかして、噴水アーム２２に圧送された水は、噴水アーム２２の各噴水口２２ａから噴出されるもので、その噴水の反動によって噴水アーム２２は回転もする。かくして、洗浄水が食器かご１９内の食器に満遍なく噴射され、その食器の洗浄（洗い、すすぎ）が行われるものであり、従って、ポンプ２４及び噴水アーム２２は、食器を洗浄する洗浄機構として機能する。なお、洗浄室１８内の水は、図示しない給水弁によって機外から洗浄室１８内に供給される。
【００２７】
このほか、洗浄室１８内の噴水アーム２２直下の部分には、ヒータ２６を配設すると共に、このヒータ２６を覆うヒータカバー２７を配設しており、更に、内箱１７の外下方部には送風機２８を配設していて、この送風機２８によりダクト２９を通じて洗浄室１８内に供給される風を、ヒータ２６により熱して温風となし、この温風により洗浄後の食器の乾燥を行うようになっている。従って、ヒータ２６及び送風機２８は食器を乾燥させる乾燥手段として機能するものであり、更に、ヒータ２６は洗浄時の洗浄水を加熱する加熱手段としても機能するようになっている。
【００２８】
さて、前記外箱１１の前面の開口部１５には、図１及び図２に示す扉３０を設けている。この扉３０は、下部扉３１と、上部扉３２とから成っており、その下部扉３１は横長の矩形状を成し、上部扉３２はそれよりも縦寸法の短い横長の矩形状を成している。
【００２９】
ここで、下部扉３１は、下端部の両側を、図４及び図５に示すように、外箱１１内において内箱１７に複数のねじ３３によって固着した支持板３４に、支軸３５によって枢着することにより、下端部を中心として開閉回動するように設けており、これにより、扉３０全体としても、下端部を中心として開閉回動するように設けている。
【００３０】
又、この場合、支持板３４には、上部に外側方へ突出するストッパ３６を形成しており、一方、下部扉３１には被係止片３７を延設していて、これが、下部扉３１の閉鎖時には、図４に示すようにストッパ３６から離間するのに対し、開放時には、図５に示すようにストッパ３６に下方より接触係止されて、下部扉３１をほゞ水平状態に保持するようになっており、かくして、下部扉３１をほゞ水平状態まで開放回動可能としている。なお、これから明らかなように、ストッパ３６と被係止片３７は、下部扉３１をほゞ水平状態に保持する保持手段として機能する。
【００３１】
上部扉３２は、図６及び図７に示すように、下端部の裏側部に形成した円筒状の連結部３８と、下部扉３１の先端部である上端部の裏側部に形成した円筒状の連結部３９とに、支軸４０を挿通することによって、下部扉３１の上端部（先端部）に前後（上下）回動可能に連結している。
【００３２】
又、その折り、支軸４０にはスプリング、この場合、図８に示す捩りコイルスプリング４１を巻装しており、この捩りコイルスプリング４１の一端部４１ａを下部扉３１に掛け、他端部４１ｂを上部扉３２に掛けて、上部扉３２を下部扉３１に対し内側の直角方向に付勢している。これにより、図９に示すように、上部扉３２を下部扉３１に対しほゞ直角に回動させて保持するようにしており、従って、捩りコイルスプリング４１はその上部扉３２の回動保持をして扉３０をほゞ直角に折り曲げる扉折り手段として機能する。
【００３３】
なお、この場合、上部扉３２の回動保持は、捩りコイルスプリング４１のばね力によってのみ行うようにしているが、そのばね力を、上部扉３２をほゞ直角以上の角度回動させるものとして、これに、上部扉３２をほゞ直角の状態に係止させて保持するストッパを設けて実現するようにしても良い（この場合、捩りコイルスプリング４１とストッパが、扉折り手段として機能する）。
【００３４】
更に、下部扉３１と上部扉３２との連結部分にはパッキン４２を設けており、このパッキン４２は、下部扉３１に対する上部扉３２の伸張状態（図６参照）で、下部扉３１と上部扉３２との双方に密接することにより、その連結部分を水密に封じる水封手段として機能する。
【００３５】
そして又、前記洗浄室１８の開口部１５近くの上側及び左右両側の内周部には、図１及び図３に示すように、受枠４３を取付けて、これの前側内部にパッキン４４を収納固着している。それに対して、上記下部扉３１の裏面の左右両側と、上部扉３２の裏面の左右両側及び上側には、押圧部としてのリブ４５を形成しており、このリブ４５が、扉３０の閉鎖時に、パッキン４４を押圧してこれに密接することにより、扉３０と洗浄室１８との間を水密に封じるようにしている。従って、この場合、パッキン４４はその扉３０と洗浄室１８との間を水密に封じる水封手段として機能する。
【００３６】
なお、下部扉３１及び上部扉３２のそれぞれリブ４５より内側の部分には、受枠４３の更に内側に重なって洗浄室１８内の水を一層漏れにくくするためのリブ４５ａを形成している。
【００３７】
しかして、下部扉３１には、洗浄室１８内を透視するための、透明部４６と、これに臨む窓４７、及びこの窓４７を覆う防水シート４８を設けており、上部扉３２には、ハンドル４９と、押ボタン５０とを設けている。このうち、ハンドル４９は、上部扉３２の下端部の前面に固定状態に取付けたものであり、押ボタン５０は、上部扉３２の上部に前後に出没可能に設けたものである。
【００３８】
図１０は押ボタン５０の全体を示しており、この押ボタン５０には、被押圧部５０ａの前面に「ＰＵＳＨ」の文字による表示５１を施している。又、この押ボタン５０には、その左右の両側に連結棒５２を一体に延設して、その各先端部に軸突起５３を形成すると共に、爪５４を形成しており、図３に示すように、押ボタン５０の上記被押圧部５０ａの前面部を除く部分と、連結棒５２、及び軸突起５３を上部扉３２内（中空部）に位置させた状態で、その軸突起５３を上部扉３２の左右両側壁部に前後（上下）回動可能に取付けている。
【００３９】
又、この状態で、押ボタン５０の被押圧部５０ａと上部扉３２の後側の内面部との間には、圧縮コイルスプリング５５を介在させており、これによって、押ボタン５０の被押圧部５０ａが上部扉３２の前面よりある程度前方に突出するように付勢している。更に、この状態で、上部扉３２の下部、すなわち、下部扉３１との連結部分近くの部分の裏面より後方に突出させた爪５４は、上記圧縮コイルスプリング５５のばね力により上方に回動付勢されており、その付勢された状態で、爪５４が係止する係止受け具５６を、前記外箱１１の前面の開口部１５の左右の両側縁部に設けている。
【００４０】
ここで、爪５４は、扉３０を閉鎖したときに、係止受け具５６に係止して扉３０をロックするようになっており、従って、それら爪５４と係止受け具５６は、扉３０を閉鎖したときに、扉３０をロックするロック手段として機能するものであり、特には扉３０の下部扉３１と上部扉３２との連結部分近傍を外箱１１側に係止して扉３０をロックするロック手段として機能するものである。
【００４１】
又、そのロック状態で、押ボタン５０の被押圧部５０ａを前方から押せば、爪５４が下方に回動されて、係止受け具５６との係止状態から解放されるものであり、これによって上記扉３０のロックが解除される。従って、押ボタン５０は扉３０のロックを解除するロック解除手段として機能するものである。
【００４２】
加えて、上記係止受け具５６にはスイッチボックス５７を連設して、これを前記外箱１１と内箱１７との間に位置させており、このスイッチボックス５７内には、扉３０を閉鎖ロックしたときに、一端部が爪５４により押し上げられるレバー５８と、このレバー５８の他端部によりアクチェータ５９ａが押圧されて例えばオン作動するマイクロスイッチ５９とを配設しており、そのマイクロスイッチ５９の作動によって扉３０のロックを検出することから、それらレバー５８及びマイクロスイッチ５９は、扉３０のロックを検出するロック検出手段として機能する。
【００４３】
なお、上記マイクロスイッチ５９の作動による扉ロックの検出信号は、図示しない制御装置に入力されるようにしており、その入力に基づいて、制御装置は前記食器の洗浄から乾燥までの運転を許容し、入力がなければ、その運転を停止させるようにしている。
【００４４】
そして、上部扉３２の先端部である上端部には、そのほゞ全長にわたって凸部６０を形成しており、これに対して、前記外箱１１の前面の開口部１５の上縁部である、天板１３の前縁部には、下方に開口する凹部６１をそのほゞ全長にわたって形成し、この凹部６１に、扉３０の閉鎖状態で、上記上部扉３２の凸部６０を係止させるようにしている。
このほか、外箱１１の扉３０より下方の部分には、パネル６２を装着しており、このパネル６２には、前記食器の洗浄から乾燥までの運転について必要に操作をするための複数の操作キー６３（図２参照）を設けている。
【００４５】
次に、上記構成のものの作用を述べる。
図１１の（ａ）に示す食器洗浄機は、扉３０を閉鎖してロックした状態のものであり、この状態から、押ボタン５０を押して前述のように扉３０のロックを解除し、次いで、ハンドル４９を持って扉３０を前方に引く。すると、扉３０は、図１１の（ｂ）に示すように、下部扉３１が下端部（支軸３５）を中心として下方に開放回動し、上部扉３２が、捩りコイルスプリング４１のばね力により、下部扉３１との連結部分から内側（後方）に回動される。この上部扉３２の回動は、上部扉３２が下部扉３１に対しほゞ直角となるまで続けられるもので、ほゞ直角となれば、上部扉３２はそれ以上回動されず、その状態に保持される。
【００４６】
又、下部扉３１は、図１１の（ｃ）に示すように、ほゞ水平状態となるまで開放回動されるもので、ほゞ水平状態となれば、それ以上回動されず、その状態に保持される。このとき、上部扉３２は、下部扉３１に対して上方へほゞ直角に折れ曲がった状態となっている。
【００４７】
これに対して、上述の扉３０を開放した状態から、ハンドル４９を持って扉３０を後上方へ押し上げると、下部扉３１は、図１１の（ｂ）に示すように、下端部を中心として上方に閉鎖回動し、上部扉３２は、凸部６０が外箱１１の前面の開口部１５の左右の両側縁部に当接したところから、捩りコイルスプリング４１のばね力に抗し伸張方向に戻されて、凸部６０を天板１３前縁部の凹部６１に差し込み係止させ、リブ４５によりパッキン４４を押圧すると共に、上部扉３２の裏面及び下部扉３１の裏面を外箱１１の上記開口部１５の周縁部に当接させて、図１１の（ａ）に示す閉鎖状態に戻る。
【００４８】
又、この扉３０の閉鎖状態では、爪５４が係止受け具５６に係止して扉３０、特にこれの下部扉３１と上部扉３２との連結部分近傍をロックするものであり、この扉３０のロックをマイクロスイッチ５９がレバー５８を介して検出する。
【００４９】
このように本構成のものでは、扉３０は、開放時、下部扉３１がほゞ水平状態まで回動されるのに対して、上部扉３２が、扉折り手段である捩りコイルスプリング４１のばね力によってほゞ直角に回動されて保持されることにより、Ｌ字状に折り曲げられた状態となる。これにより、図１２に示すように、食器洗浄機をキッチン用キャビネット１のシンク２の右脇部の幅狭な食器洗浄機設置可能部５に横向き（左向き）に設置した状況で、扉３０を開放させたとき、扉３０の先端部がキッチン用キャビネット１の水栓６のコック部６ａに当たることが避けられる。よって、扉３０を充分に開放させることができるもので、食器かご１９や食器の出し入れに支障を来たすことはない。
【００５０】
又、食器洗浄機をキッチン用キャビネット１のシンク２の左脇部の幅広な食器洗浄機設置可能部４に前向きに設置した状況で、扉３０を開放させたとき、扉３０の先端部がキッチン用キャビネット１の前縁より前方に突出することも避けられる。よって、扉３０の先端部の角部に使用者が手や腰等をぶつけることもなくなって、使用しやすくできる。
【００５１】
更に、この場合、扉３０は、全体としても下端部を中心として開放回動されるもので、上方に持ち上げられるものではないから、上方の棚等に当たるようなことも避けられ、充分に開放させることができる。そして、食器入れ時に食器から落ちた残滓や汁等は、下端部を中心としてほゞ水平状態まで回動された下部扉３１により受けられるものであり、食器洗浄機設置部分に落ちることが阻止される。よって、その食器から落ちる残滓や汁等で食器洗浄機設置部分を汚すようなこともなくすことができる。
【００５２】
加えて、本構成のものの場合、扉３０を上述のように折り曲げる扉折り手段を、スプリング（捩りコイルスプリング４１）としており、それによって、上部扉３２のほゞ直角の回動保持が、スプリングのばね力で簡単にできる。なお、この扉折り手段としてのスプリングは、捩りコイルスプリング４１には限られず、引張コイルスプリングや板ばねなど、種類の異なるスプリングであっても良い。
【００５３】
又、扉３０を閉鎖したときには、下部扉３１と上部扉３２との連結部分近傍を外箱１１側に係止して扉３０をロックするロック手段（爪５４及び係止受け具５６）を有している。これにより、扉３０を閉鎖した状態での、子供の悪戯など、不用意な扉３０の開放を阻止できるばかりでなく、特には扉３０の下部扉３１と上部扉３２との連結部分の、外箱１１に対する僅かな浮き離れすら阻止できて、水密性をより確実に保持することができる。なお、この場合も、ロック手段としては、爪５４及び係止受け具５６に限られるものではない。
【００５４】
更に、上記ロック手段に加えて、該ロック手段による扉３０のロックを検出するロック検出手段（レバー５８及びマイクロスイッチ５９）を有している。これにより、扉３０をロックしたときには、それがロック検出手段により検出され、扉３０のロックを解除したときには、ロック検出手段による扉３０のロックの検出がなされなくなるので、それによって、運転中に扉３０のロックを解除したとき、その時点、すなわち、扉３０を開放する前に運転を自動的に停止させることが可能であり、運転中の外箱１１の前面の開口部１５からの洗浄水、特にはヒータ２６で高温化された状態の洗浄水の飛び出し等のおそれを、より確実になくすことができる。
【００５５】
このほか、ロック手段による扉３０のロックを押ボタン５０の操作により解除するロック解除手段を有しており、これによって、扉３０のロック解除が、押ボタン５０を操作するだけの簡単な操作でできるから、操作性を良好になすことができる。
【００５６】
そして、扉３０を閉鎖したときには、上部扉３２の先端部（凸部６０）が外箱１１の前面の開口部１５の上縁部（天板１３前縁の凹部６１）に係止されるようにしており、これによって、扉３０のロックが、上部扉３１の先端部、すなわち、扉３０の先端部でも確実にでき、しかも、その上部扉３２の先端部に手を掛けて扉３０をこじ開けようとする無理な操作に対しても、抗することが可能であって、運転中の扉３０の閉鎖状態の維持がより確実にできる。
なお、この場合、上部扉３２の先端部の凸部６０と天板１３の凹部６１は、上部扉３２の上端部、及び天板１３の前縁部の、それぞれ中央部や両側端部など、部分的に設けていても良い。
【００５７】
その上、扉３０を閉鎖したときには、扉３０と洗浄室１８との間を水密に封じる水封手段（パッキン４４）を有しており、これによって、洗浄室１８と扉３０との間からの水漏れをより確実に防止することができる。
更に、下部扉３２と上部扉３１との連結部分に、該部分を水密に封じる水封手段（パッキン４２）を有しており、これによって、下部扉３１と上部扉３２との連結部分からの水漏れも、より確実に防止することができる。
【００５８】
以上に対して、図１３ないし図２６は本発明の第２ないし第６実施例を示すもので、それぞれ、第１実施例と同一もしくは同様の部分には同一の符号を付して説明を省略し、異なる部分についてのみ述べる。
【００５９】
［第２実施例］
図１３ないし図１５に示す第２実施例においては、前述のスプリング（捩りコイルスプリング４１）に代わる扉折り手段として、特に図１４に示すリンク７１を用いている。このリンク７１は、一端部を、前記下部扉３１の枢着部である支持板３４より上方に位置させて外箱１１の前面の開口部１５の左右の両側縁部に設けた第２の支持板７２に、支軸７３によって上下（前後）回動可能に取付け、他端部を、上部扉３２の裏側部に支軸７４によって同じく上下（前後）回動可能に取付けており、それによって、上部扉３２と外箱１１との間を結んでいる。
【００６０】
又、この場合、上部扉３２には、前述のハンドル４９に代えて，ハンドル７５を一体成形して設けており、下部扉３１及び上部扉３２のそれぞれ裏面の左右両側部には、リンク７１に対応させて、それらを収納することが可能な寸法の溝７６を形成している。
【００６１】
この構成で、図１５の（ａ）に示す、扉３０の閉鎖ロック状態から、前述同様に押ボタン５０を押して扉３０のロックを解除し、次いで、ハンドル７５を持って扉３０を前方に引く。すると、扉３０は、図１５の（ｂ）に示すように、下部扉３１が下端部を中心としてほゞ水平状態となるまで下方に開放回動し、一方、上部扉３２は、リンク７１により、相対的に後方へ引かれて、下部扉３１との連結部分から内側上方に回動される。この上部扉３２の回動は、前述同様に、上部扉３２が下部扉３１に対しほゞ直角となるまで続けられるものであり、ほゞ直角となれば、上部扉３２はそれ以上回動されず、その状態に保持される。
【００６２】
これに対して、上述の扉３０を開放した状態から、ハンドル７５を持って扉３０を後上方へ押し上げると、下部扉３１は、下端部を中心として上方に閉鎖回動し、それに伴い、上部扉３２は伸張方向に戻されて、この上部扉３２の裏面及び下部扉３１の裏面が外箱１１の上記開口部１５の周縁部に当接して、図１５の  （ａ）に示す閉鎖状態に戻る。又、このとき、リンク７１は下部扉３１及び上部扉３２の溝７６に収納されることによって、扉３０の内部に収納される。
【００６３】
なお、この場合、上部扉３２の先端部には凸部６０を設けておらず、天板１３の前縁部には凹部６１を設けていないが、これら凸部６０及び凹部６１を設けても良い。
【００６４】
このものでは、上部扉３２のほゞ直角の回動保持を、リンク７１により、扉３０の開放回動に連動させて簡単になすことができる。又、この場合、リンク７１は、扉３０を閉鎖したときには、扉３０の内部に収納されるもので、これにより、扉３０の閉鎖をリンク７１に邪魔されず確実になすことができ、しかも、その扉３０の閉鎖状態でリンク７１が露出したままになることもなく、見掛けを良好に確保することができる。
【００６５】
［第３実施例］
図１６ないし図１９に示す第３実施例においては、上部扉３２とは別体のハンドル８１の左右の両側に図１９に示す連結棒８２を一体に延設し、その各先端部に前述の爪５４を形成し、この爪５４の各基端部の外面に軸突起８３を形成している。そして、その軸突起８３を、上部扉３２内に位置させた状態で、該上部扉３２の左右両側壁部に前後（上下）回動可能に取付けている。
【００６６】
又、この状態で、ハンドル８１の上部８１ａと上部扉３２の後側の内面部との間には、図１８に示す圧縮コイルスプリング８４を介在させており、これによって、ハンドル８１の上部８１ａが上部扉３２の前面とほゞ面一に位置するように付勢している。更に、この状態で、上部扉３２の下部、すなわち、下部扉３１との連結部分近くの部分の裏面より後方に突出させた爪５４は、上記圧縮コイルスプリング８４のばね力により上方に回動付勢されており、その付勢された状態で、前述の係止受け具５６に係止するようになっている。
【００６７】
この構成で、ハンドル８１を持って図１８に矢印Ａで示すように前方に引けば、爪５４が矢印Ｂで示すように下方に回動されて、係止受け具５６との係止状態から解放されるものであり、これによって爪５４による扉３０のロックが解除される。従って、この場合、ハンドル８１は、前述の押ボタン５０に代わって、扉３０のロックを解除するロック解除手段として機能するものであり、このものでは、扉３０のロック解除が、扉３０を開放させるときに持つハンドル８１を操作するだけの簡単で且つ自然な操作でできるから、操作性を一段と良好になすことができる。
【００６８】
なお、この場合も、上部扉３２の先端部には凸部６０を設けておらず、天板１３の前縁部には凹部６１を設けていないが、これら凸部６０及び凹部６１を設けても良い。更に、この場合、扉折り手段としては、リンク７１を用いているが、第１実施例のようにスプリングを用いても良い。
【００６９】
［第４実施例］
図２０及び図２１に示す第４実施例においては、外箱１１の前面の開口部１５の左右の両側縁部の上部と上縁部、すなわち上側の縁部１５ａを図２１に示すように後方に傾斜させ、その傾斜の起点部９１に、扉３０を閉鎖したときの下部扉３１と上部扉３２との連結部分（支軸４０の部分）の位置がほゞ合致するようにしている。
【００７０】
このようにすることにより、扉３０を閉鎖したときには、図２０に示すように、上部扉３２が下部扉３１より後方に傾斜した外形となり、それによって、設置状態での圧迫感をなくすことができるから、狭い場所に設置するのにも適するようにできる。
なお、この場合も、上部扉３２の先端部には凸部６０を設けておらず、天板１３の前縁部には凹部６１を設けていないが、これら凸部６０及び凹部６１を設けても良い。
【００７１】
［第５実施例］
図２２ないし図２４に示す第５実施例においては、扉折り手段がスプリング  （捩りコイルスプリング４１）である第１実施例構造のものに、上記第４実施例の傾斜を有する外箱１１構造を採用している。
このものでは、扉３０の開閉時に、上部扉３２の先端部（凸部６０）が、図２４の（ａ）〜（ｃ）、特には（ｂ）に示すように、外箱１１の前面の開口部１５の傾斜した上側の縁部１５ａに沿って摺動するもので、垂直面より傾斜面の方が摺動性が良いため、操作性を良好になすことができる。
【００７２】
又、この場合、前述のハンドル４９，７５，８１をそれぞれ上部扉３２に設けた構造に代えて、上部扉３２よりふらつきのない下部扉３１にハンドル１０１を設けており、これによって、操作性を更に良好になすことができる。
なお、扉折り手段として、リンク７１を用いるものでは、上部扉３２もふらつきがないので、ハンドルは下部扉３１及び上部扉３２のいずれに設けても、良好な操作性を得ることができる。
【００７３】
［第６実施例］
図２５及び図２６に示す第６実施例においては、例えばゴム板等の弾性体１１１を用い、これの一端部を下部扉３１の先端部の裏面部に押え具１１２を介してねじ１１３により取付け、他端部を上部扉３２の下端部に押え具１１４を介してねじ１１５により取付けることにより、それら下部扉３１と上部扉３２との合わせ部分を水密に覆う弾性体１１１で、それらの連結をしている。
【００７４】
このものでは、下部扉３１と上部扉３２との連結が、それらの合わせ部分を水密化するのと併せてなされるから、それらをなすのに別々の部品を要せず、それだけ安価に実現できる長所を有する。
このほか、本発明は上記し且つ図面に示した実施例にのみ限定されるものではなく、特に洗浄機構は、前述の噴水方式に限られず、槽状の洗浄室内に食器を浸漬するまで貯水して、その水を撹拌することによる水流で食器を洗浄するようなものであっても良いなど、要旨を逸脱しない範囲内で適宜変更して実施し得る。
【発明の効果】
本発明は以上説明したとおりのもので、下記の効果を奏する。
請求項１の食器洗浄機によれば、扉の開放時、下部扉がほゞ水平状態まで回動され、そして、この下部扉に対し、上部扉が扉折り手段によってほゞ直角に回動されて保持されることにより、Ｌ字状に折り曲げられた状態となるから、キッチン用キャビネットのシンクの脇部に設置した状況で、開放させた扉が水栓のコック部に当たったり、使用者が手や腰等をぶつけたりすることをなくし得、しかも、食器入れ時に食器から落ちる残滓や汁等で食器洗浄機設置部分を汚すこともなくし得ると共に、開放させた扉が上方の棚等に当たるようなこともなくし得て、使用しやすくできる。又、扉を閉鎖したときには、ロック手段により、子供の悪戯など、不用意な扉の開放を阻止できるばかりでなく、特には扉の下部扉と上部扉との連結部分の、外箱に対する僅かな浮き離れすら阻止できて、水密性をより確実に保持することができる。更に、扉をロックしたとき、それがロック検出手段により検出され、扉のロックを解除したとき、ロック検出手段による扉ロックの検出がなされなくなるので、運転中に扉のロックを解除したとき、その時点で運転を自動的に停止させることが可能で、運転中の外箱の前面の開口部からの洗浄水の飛び出し等のおそれを、より確実になくすことができる。
【００７７】
請求項２の食器洗浄機によれば、前記ロック検出手段による作用効果以外、第１の構成の食器洗浄機と同じ作用効果が得られ、そして、扉のロック解除が、押ボタンを操作するだけの簡単な操作でできるから、操作性を良好になすことができる。
請求項３の食器洗浄機によれば、前記ロック検出手段による作用効果以外、第１の構成の食器洗浄機と同じ作用効果が得られ、そして、扉のロック解除が、扉を開放させるときに持つハンドルを操作するだけの簡単で且つ自然な操作でできるから、操作性を一段と良好になすことができる。
【００７８】
請求項４の食器洗浄機によれば、前記ロック検出手段による作用効果以外、第１の構成の食器洗浄機と同じ作用効果が得られ、そして、扉のロックが、上部扉の先端部で確実にでき、しかも、その上部扉の先端部に手を掛けて扉をこじ開けようとする無理な操作に対しても、抗することが可能で、運転中の扉の閉鎖状態の維持がより確実にできる。
【００７９】
請求項５の食器洗浄機によれば、前記ロック検出手段による作用効果以外、第１の構成の食器洗浄機と同じ作用効果が得られ、そして、扉を閉鎖したときに、上部扉が下部扉より後方に傾斜した外形となって、設置状態での圧迫感をなくすことができる。
請求項６の食器洗浄機によれば、前記ロック検出手段による作用効果以外、第１の構成の食器洗浄機と同じ作用効果が得られ、そして、下部扉と上部扉との連結が、それらの合わせ部分を水密化するのと併せてなされるから、それらをなすのに別々の部品を要せず、それだけ安価に実現できる。
【図面の簡単な説明】
【図１】本発明の第１実施例を示す全体の扉開放状態での斜視図
【図２】全体の扉閉鎖状態での斜視図
【図３】全体の縦断側面図
【図４】下部扉枢支部分の扉閉鎖状態での拡大縦断側面図
【図５】下部扉枢支部分の扉開放状態での拡大縦断側面図
【図６】下部扉と上部扉の連結部分の伸張状態での拡大縦断側面図
【図７】下部扉と上部扉の連結部分の拡大背面図
【図８】捩りコイルスプリング単体の拡大斜視図
【図９】下部扉と上部扉の連結部分の折れ曲がり状態での拡大縦断側面図
【図１０】押ボタンから爪にかけての斜視図
【図１１】扉の開閉の変化の様子を（ａ）、（ｂ）、（ｃ）で示す全体の側面図
【図１２】食器洗浄機の設置状況を示す平面図
【図１３】本発明の第２実施例を示す図２相当図
【図１４】図１相当図
【図１５】図１１相当図
【図１６】本発明の第３実施例を示す図２相当図
【図１７】図１相当図
【図１８】図３部分相当拡大図
【図１９】ハンドルから爪にかけての斜視図
【図２０】本発明の第４実施例を示す図２相当図
【図２１】図１相当図
【図２２】本発明の第５実施例を示す図２相当図
【図２３】図１相当図
【図２４】図１１相当図
【図２５】本発明の第６実施例を示す図６相当図
【図２６】下部扉と上部扉の連結部分の折れ曲がり状態での縦断側面図
【図２７】従来の食器洗浄機の設置状況を示す斜視図
【図２８】図１２相当図
【符号の説明】
１１は外箱、１５は開口部、１８は洗浄室、１９は食器かご、２２は噴水アーム（洗浄機構）、２４はポンプ（洗浄機構）、３０は扉、３１は下部扉、３２は上部扉、３５は支軸、３６はストッパ、３７は被係止片、３８，３９は連結部、４０は支軸、４１は捩りコイルスプリング（スプリング）、４２，４４はパッキン（水封手段）、５０は押ボタン（ロック解除手段）、５４は爪（ロック手段）、５６は係止受け具（ロック手段）、５８はレバー（ロック検出手段）、５９はマイクロスイッチ（ロック検出手段）、６０は凸部、６１は凹部、７１はリンク、７６は溝、８１はハンドル（ロック解除手段）、９１は傾斜の起点部、１１１は弾性体を示す。
【図１】
0003572224.tif 000002
【図２】
0003572224.tif 000003
【図３】
0003572224.tif 000004
【図４】
0003572224.tif 000005
【図５】
0003572224.tif 000006
【図６】
0003572224.tif 000007
【図７】
0003572224.tif 000008
【図８】
0003572224.tif 000009
【図９】
0003572224.tif 000010
【図１０】
0003572224.tif 000011
【図１１】
0003572224.tif 000012
【図１２】
0003572224.tif 000013
【図１３】
0003572224.tif 000014
【図１４】
0003572224.tif 000015
【図１５】
0003572224.tif 000016
【図１６】
0003572224.tif 000017
【図１７】
0003572224.tif 000018
【図１８】
0003572224.tif 000019
【図１９】
0003572224.tif 000020
【図２０】
0003572224.tif 000021
【図２１】
0003572224.tif 000022
【図２２】
0003572224.tif 000023
【図２３】
0003572224.tif 000024
【図２４】
0003572224.tif 000025
【図２５】
0003572224.tif 000026
【図２６】
0003572224.tif 000027
【図２７】
0003572224.tif 000028
【図２８】
0003572224.tif 000029